【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
サーバコンピュータから電気通信回線を通じてクライアントコンピュータに転送される文書に、前記クライアントコンピュータにより前記文書が表示されるとき解釈される埋込み指令であって前記クライアントコンピュータに入力画像の第一画像データを表示させる第一埋込み指令を記述する段階と、
前記クライアントコンピュータにより前記文書が印刷されるとき解釈される埋込み指令であって前記入力画像の第一画像データより画素数が多い前記入力画像の第二画像データを印刷させる第二埋込み指令を前記文書に記述する段階と、
前記第一埋込み指令及び前記第二埋込み指令が記述された文書を出力する段階と、
を含むことを特徴とするマーク付け言語編集方法。
【請求項２】
前記クライアントコンピュータにより前記文書を印刷させるとき解釈される埋込み指令であって文書レイアウトを指定させる第三埋込み指令を前記文書に記述する段階をさらに含むことを特徴とする請求項１記載のマーク付け言語編集方法。
【請求項３】
前記クライアントコンピュータにより前記文書を印刷させるとき解釈される埋込み指令であってページ区切りを指定する第四埋込み指令を前記文書に記述する段階をさらに含むことを特徴とする請求項１又は２記載のマーク付け言語編集方法。
【請求項４】
入力画像から画像データを出力する画像データ出力手段と、
サーバコンピュータから電気通信回線を通じてクライアントコンピュータに転送される文書に、前記クライアントコンピュータにより前記文書が表示されるとき解釈される埋込み指令であって前記クライアントコンピュータに前記入力画像の第一画像データを表示させる第一埋込み指令と前記クライアントコンピュータにより前記文書が印刷されるとき解釈される埋込み指令であって前記入力画像の第一画像データより画素数が多い前記入力画像の第二画像データを印刷させる第二埋込み指令とを記述し、前記第一埋込み指令及び前記第二埋込み指令が記述された前記文書を出力するマーク付け言語出力手段と、
を備えることを特徴とするデジタルスチルカメラ。
【請求項５】
前記画像データ出力手段は、前記第一画像データ及び前記第二画像データを出力することを特徴とする請求項４記載のデジタルスチルカメラ。
【請求項６】
前記マーク付け言語出力手段は、前記クライアントコンピュータにより前記文書が印刷されるとき解釈される埋込み指令であって文書レイアウトを指定させる第三埋込み指令を前記文書に記述し、前記第三埋込み指令が記述された文書を出力することを特徴とする請求項４記載のデジタルスチルカメラ。
【請求項７】
前記マーク付け言語出力手段は、前記クライアントコンピュータにより前記文書が印刷されるとき解釈される埋込み指令であってページ区切りを指定させる第四埋込み指令を前記文書に記述し、前記第四埋込み指令が記述された文書を出力することを特徴とする請求項４、５又は６記載のデジタルスチルカメラ。
【請求項８】
電気通信回線を通じて前記サーバコンピュータに前記文書を転送する通信手段に接続するインタフェースを備えることを特徴とする請求項４〜７のいずれか一項に記載のデジタルスチルカメラ。
【請求項９】
サーバコンピュータに電気通信回線を通じて接続されるクライアントコンピュータによるマーク付け言語解釈方法であって、
前記サーバコンピュータから転送される文書を表示するとき前記文書に記述された第一埋込み指令を解釈し入力画像の第一画像データを表示する段階と、
前記文書を印刷するとき前記文書に記述された第二埋込み指令を解釈し前記第一画像データより画素数の多い前記入力画像の第二画像データを印刷する段階と、
を含むことを特徴とするマーク付け言語解釈方法。
【請求項１０】
前記表示する段階において、前記サーバコンピュータから前記クライアントコンピュータに前記第一画像データを転送させ、
前記印刷する段階において、前記サーバコンピュータから前記クライアントコンピュータに前記第二画像データを転送させることを特徴とする請求項９記載のマーク付け言語解釈方法。
【請求項１１】
前記文書を印刷するとき前記文書に記述された第三埋込み指令を解釈し文書レイアウトを指定する段階をさらに含むことを特徴とする請求項９又は１０記載のマーク付け言語解釈方法。
【請求項１２】
前記文書を印刷するとき前記文書に記述された第四埋込み指令を解釈しページ区切りを指定する段階をさらに含むことを特徴とする請求項９、１０又は１１記載のマーク付け言語解釈方法。
【請求項１３】
サーバコンピュータに電気通信回線を通じて接続されるクライアントコンピュータと、前記クライアントコンピュータから印刷データを受信し文書を印刷するプリンタとを備える印刷システムであって、
マーク付け言語から構成され前記サーバコンピュータから転送される文書を表示するとき、前記文書に記述された第一埋込み指令を解釈し前記サーバコンピュータに記録された入力画像の第一画像データを表示する表示手段と、
前記文書を印刷するとき、前記文書に記述された第二埋込み指令を解釈し前記第一画像データより画素数の多い前記入力画像の第二画像データを印刷する印刷手段と、
を含むことを特徴とする印刷システム。
【請求項１４】
前記表示手段は、前記文書を表示するとき、前記サーバコンピュータから前記クライアントコンピュータに前記第一画像データを転送させ、
前記印刷手段は、前記文書を印刷するとき、前記サーバコンピュータから前記クライアントコンピュータに前記第二画像データを転送させることを特徴とする請求項１３記載の印刷システム。
【請求項１５】
前記印刷手段は、前記文書を印刷するとき、前記文書に記述された第三埋込み指令を解釈し前記第三埋込み指令により指定される文書レイアウトに従って画像データを印刷することを特徴とする請求項１３又は１４記載の印刷システム。
【請求項１６】
前記印刷手段は、前記第三埋込み指令を解釈し前記第三埋込み指令により指定されたサイズの印刷用紙が前記プリンタにセットされているか否かをプリンタドライバに問い合わせる手段と、当該サイズの印刷用紙が前記プリンタにセットされていない場合に前記表示手段にエラーメッセージを表示させる手段とを有することを特徴とする請求項１５記載の印刷システム。
【請求項１７】
前記印刷手段は、前記文書を印刷するとき、前記文書に記述された第四埋込み指令を解釈し前記第四埋込み指令により指定されるページ区切りに従って前記文書を印刷することを特徴とする請求項１３〜１６のいずれか一項に記載の印刷システム。
【請求項１８】
マーク付け言語から構成された文書であって、第一クライアントコンピュータにより前記文書が表示されるとき解釈される埋込み指令であって前記第一クライアントコンピュータに入力画像の第一画像データを表示させる第一埋込み指令、及び前記第一クライアントコンピュータにより前記文書が印刷されるとき解釈される埋込み指令であって前記入力画像の第一画像データより画素数が多い前記入力画像の第二画像データを印刷させる第二埋込み指令が記述された文書と前記入力画像の画像データとを第二クライアントコンピュータの要求に応じて記録する記録手段と、
前記第一クライアントコンピュータの要求に応じて前記文書及び前記入力画像の画像データを前記第一クライアントコンピュータに電気通信回線を通じて転送する転送手段と、
を備えることを特徴とするサーバコンピュータ。
【手続補正２】
【補正対象書類名】明細書
【補正対象項目名】０００５
【補正方法】変更
【補正の内容】
【０００５】
【課題を解決するための手段】
（１）サーバコンピュータから電気通信回線を通じてクライアントコンピュータに転送される文書に、クライアントコンピュータにより文書が表示されるとき解釈される埋込み指令であってクライアントコンピュータに入力画像の第一画像データを表示させる第一埋込み指令と、クライアントコンピュータにより文書が印刷されるとき解釈される埋込み指令であって入力画像の第一画像データより画素数が多い入力画像の第二画像データを印刷させる第二埋込み指令とを記述することにより、クライアントコンピュータで文書が表示されるときに表示される画像に対して印刷指示が受け付けられると表示された画像より高画質の画像をクライアントコンピュータに印刷させることができる。
【手続補正３】
【補正対象書類名】明細書
【補正対象項目名】０００６
【補正方法】変更
【補正の内容】
【０００６】
（４）上記第一埋込み指令及び上記第二埋込み指令を記述した文書を出力するマーク付け言語出力手段をデジタルスチルカメラに備えることにより、デジタルスチルカメラ等で記録した画像を電気通信回線網に設置されたサーバコンピュータに転送し、クライアントコンピュータからその画像を呼び出して低画質、すなわち表示装置で見やすい大きさで表示し高画質で印刷できるようにすることが容易になる。
【手続補正４】
【補正対象書類名】明細書
【補正対象項目名】０００７
【補正方法】変更
【補正の内容】
【０００７】
尚、第一画像データ及び第二画像データをそれぞれ独立してサーバコンピュータに記録してもよいし、第一画像データ及び第二画像データの基礎となる画像データをサーバコンピュータに記録しておき、クライアントコンピュータで基礎となる画像データから第一画像データ及び第二画像データを生成させてもよい。
【手続補正５】
【補正対象書類名】明細書
【補正対象項目名】０００８
【補正方法】変更
【補正の内容】
【０００８】
（５）画像データ出力手段は、第一画像データ及び第二画像データを出力してもよい。このようにして出力された第一画像データ及び第二画像データがサーバコンピュータに記録されると、画像を表示するときには低画質で小さな画像データをサーバコンピュータからクライアントコンピュータに転送すれば足り、高速な画像表示が可能となる。画像を印刷するときには高画質の画像データをサーバコンピュータからクライアントコンピュータに転送し、高画質の画像を印刷することができる。
【手続補正６】
【補正対象書類名】明細書
【補正対象項目名】０００９
【補正方法】変更
【補正の内容】
【０００９】
（２）クライアントコンピュータにより文書を印刷させるとき解釈される埋込み指令であって文書レイアウトを指定させる第三埋込み指令を文書に記述し、サーバコンピュータに文書を転送する前に印刷時の文書レイアウトを規定することにより、サーバコンピュータを画像記録装置として用い、容易に所定形式で画像を印刷することができる。尚、文書レイアウトには、少なくとも印刷用紙の型、印刷用紙に対する画像の配置が含まれる。
【手続補正７】
【補正対象書類名】明細書
【補正対象項目名】００１０
【補正方法】変更
【補正の内容】
【００１０】
（３）クライアントコンピュータにより文書を印刷させるとき解釈される埋込み指令であってページ区切りを指定させる第四埋込み指令を文書に記述し、印刷時のページ概念を文書に含めることにより、１つの画像が２枚の印刷用紙に跨って印刷されることを防止できる。
【手続補正８】
【補正対象書類名】明細書
【補正対象項目名】００１１
【補正方法】変更
【補正の内容】
【００１１】
（８）電気通信回線を通じてサーバコンピュータに文書を転送する通信手段に接続するインタフェースをデジタルスチルカメラに備えることにより、電気通信回線網に設置されたサーバコンピュータに前述の文書を転送することが容易になる。
【手続補正９】
【補正対象書類名】明細書
【補正対象項目名】００１２
【補正方法】変更
【補正の内容】
【００１２】
（９）クライアントコンピュータで入力画像の低画質の第一画像データを表示するための第一埋込み指令をマーク付け言語から構成される文書の表示時に解釈して実行させ、その入力画像の高画質の第二画像データを印刷するための第二埋込み指令をその文書の印刷時に解釈して実行させることにより、クライアントコンピュータで表示される画像より高画質の画像を印刷することができる。したがって、デジタルスチルカメラ等で記録した画像を電気通信回線網に設置されたサーバコンピュータに記録しておけばクライアントコンピュータからその画像を呼び出して低画質、すなわち表示装置で見やすい大きさで表示し高画質で印刷することが容易にできるようになる。
【手続補正１０】
【補正対象書類名】明細書
【補正対象項目名】００１３
【補正方法】変更
【補正の内容】
【００１３】
尚、第一画像データ及び第二画像データがそれぞれ独立してサーバコンピュータに記録されていてもよいし、第一画像データ及び第二画像データの基礎となる画像データがサーバコンピュータに記録されておりクライアントコンピュータで基礎となる画像データから第一画像データ及び第二画像データを生成してもよい。
【手続補正１１】
【補正対象書類名】明細書
【補正対象項目名】００１４
【補正方法】変更
【補正の内容】
【００１４】
（１０）画像の表示時にサーバコンピュータからクライアントコンピュータに第一画像データを転送し、画像の印刷時にサーバコンピュータからクライアントコンピュータに第一画像データを転送することにより、高速で画像を表示し高画質でその画像を印刷することができる。
【手続補正１２】
【補正対象書類名】明細書
【補正対象項目名】００１５
【補正方法】変更
【補正の内容】
【００１５】
（１１）文書の印刷時にその文書に記述された第三埋込み指令を解釈し文書レイアウトを指定することにより、予め規定された文書レイアウトに従って文書を印刷することができ、サーバコンピュータを画像記録装置として用い、容易に所定形式で画像を印刷することができる。
【手続補正１３】
【補正対象書類名】明細書
【補正対象項目名】００１６
【補正方法】変更
【補正の内容】
【００１６】
（１６）文書の印刷時に第三埋込み指令を解釈し、第三埋込み指令により指定されたサイズの印刷用紙がプリンタにセットされているか否かをプリンタドライバに問い合わせ、そのサイズの印刷用紙がプリンタにセットされていない場合にエラーメッセージを出力することにより、予め規定された文書レイアウトに対応していない印刷用紙に文書をミスプリントすることを防止できる。
【手続補正１４】
【補正対象書類名】明細書
【補正対象項目名】００１７
【補正方法】変更
【補正の内容】
【００１７】
（１２）文書の印刷時にその文書に記述された第四埋込み指令を解釈しページ区切りを指定することにより、その文書がもつ印刷時のページ概念を解釈でき、１つの画像を２枚の印刷用紙に跨って印刷することを防止できる。
【手続補正１５】
【補正対象書類名】明細書
【補正対象項目名】００１８
【補正方法】変更
【補正の内容】
【００１８】
（１８）ホストコンピュータで第二クライアントコンピュータの要求に応じて既述の第一埋込み指令及び第二埋込み指令が記述されたマーク付け言語から構成された文書と埋込み指令により表示又は印刷される画像データとを記録し、第一クライアントコンピュータの要求に応じてその文書と画像データとを第一クライアントコンピュータに電気通信回線を通じて転送することにより、デジタルスチルカメラ等で記録した画像を電気通信回線網に設置されたサーバコンピュータに転送し、クライアントコンピュータからその画像を呼び出して低画質で表示し高画質で印刷することが容易になる。